(57)【特許請求の範囲】
【請求項１】
ＷＥＢサイトからユーザが所望する画像をダウンロード可能な携帯電話であって、
上記ＷＥＢサイトからのダウンロードを所望する複数の画像の選択指示をユーザから受け付ける指示受付手段と、
上記選択指示により選択された複数の画像を上記ＷＥＢサイトから一括ダウンロードするダウンロード手段と、
上記選択指示により選択された複数の画像の各々について当該画像に固有の固有情報を選択画像情報の一部として保持するよう、上記ＷＥＢサイトに対して要求する要求手段とを備え、
上記ダウンロード手段は、ユーザによるダウンロードの指示をトリガとして、上記ＷＥＢサイトが保持する選択画像情報の一部として上記固有情報が記録されている全画像を上記ＷＥＢサイトから一括ダウンロードするように構成されており、
上記携帯電話がアクセス可能な記憶部には、上記ＷＥＢサイトの表示中に上記携帯電話のＣＰＵを上記指示受付手段および上記要求手段として機能させるブラウザアプリケーションと上記ＣＰＵを上記ダウンロード手段として機能させるアプリケーションとが個別に記録されており、
ダウンロードを所望する画像のリストを示すダウンロードリストに登録済みの画像の数と、上記選択指示により選択された複数の画像の数との合計が所定の閾値を超える場合に、上記選択指示により選択された複数の画像を上記ダウンロードリストへ登録することに失敗した旨を示す通知を行い、上記合計が上記所定の閾値以下である場合に、上記選択指示により選択された複数の画像を上記ダウンロードリストへ登録することに成功した旨を示す通知を行う、
ことを特徴とする携帯電話。
【請求項２】
上記画像が、装飾メールの作成に使用する絵文字画像である、ことを特徴とする請求項１に記載の携帯電話。
【請求項３】
ＷＥＢサイトからユーザが所望する画像をダウンロード可能な携帯電話であって、
上記ＷＥＢサイトからのダウンロードを所望する複数の画像の選択指示をユーザから受け付ける指示受付手段と、
上記選択指示により選択された複数の画像を上記ＷＥＢサイトから一括ダウンロードするダウンロード手段と、
上記選択指示により選択された複数の画像の各々について当該画像に固有の固有情報を選択画像情報の一部として保持するよう、上記ＷＥＢサイトに対して要求する要求手段とを備え、
上記ダウンロード手段は、ユーザによるダウンロードの指示をトリガとして、上記ＷＥＢサイトが保持する選択画像情報の一部として上記固有情報が記録されている全画像を上記ＷＥＢサイトから一括ダウンロードするように構成されており、
上記携帯電話がアクセス可能な記憶部には、上記ＷＥＢサイトの表示中に上記携帯電話のＣＰＵを上記指示受付手段および上記要求手段として機能させるブラウザアプリケーションと上記ＣＰＵを上記ダウンロード手段として機能させるアプリケーションとが個別に記録されている、ことを特徴とする携帯電話。
【発明の詳細な説明】
【技術分野】
【０００１】
本発明は、画像をダウンロード可能な携帯電話、および、携帯電話が画像をダウンロードするダウンロード方法に関する。また、画像をダウンロード可能な携帯電話用のプログラム、および、そのようなプログラムが記録されているコンピュータ読み取り可能な記録媒体に関する。
【背景技術】
【０００２】
従来から携帯電話によるメールのやりとりは盛んに行われており、画像により装飾が施された装飾メールもしばしば使用される。
【０００３】
装飾メールに使用する絵文字画像やアニメーション画像等の素材が各種ダウンロードサイトからダウンロード可能である。
【０００４】
また、装飾メールの素材以外にも、待ち受け用画像や発着信画像等といった様々な画像がダウンロード可能なＷＥＢサイトも存在する。
【０００５】
特許文献１〜３には、ＷＥＢサイトから端末にコンテンツをダウンロードするための様々な技術が開示されている。
【先行技術文献】
【特許文献】
【０００６】
【特許文献１】特開２０１１−１９１９９５号公報（２０１１年９月２９日公開）
【特許文献２】特開２０１１−１８６９１３号公報（２０１１年９月２２日公開）
【特許文献３】特表２０１０−５２９７０２号公報（２０１０年８月２６日公表）
【発明の概要】
【発明が解決しようとする課題】
【０００７】
上記従来の構成では、ユーザは、訪問するサイトでダウンロードしたい画像をひとつひとつ携帯電話にダウンロードしなければならないことに煩わしさを感じ得る。
【０００８】
本発明は、上記課題に鑑みてなされたものであり、その主な目的は、ユーザがダウンロードを所望する画像群をサイトから一括してダウンロード可能な携帯電話およびダウンロード方法を実現することにある。
【課題を解決するための手段】
【０００９】
本発明に係る携帯電話は、上記課題を解決するために、ＷＥＢサイトからユーザが所望する画像をダウンロード可能な携帯電話であって、上記ＷＥＢサイトからのダウンロードを所望する複数の画像の選択指示をユーザから受け付ける指示受付手段と、上記選択指示により選択された複数の画像を上記ＷＥＢサイトから一括ダウンロードするダウンロード手段と、を備えていることを特徴としている。
【００１０】
上記の構成によれば、本発明に係る携帯電話は、ユーザがダウンロードを所望する画像群をＷＥＢサイトから一括してダウンロードすることができるという効果を奏する。
【００１１】
本発明に係るダウンロード方法は、上記課題を解決するために、ＷＥＢサイトからユーザが所望する画像をダウンロード可能な携帯電話のダウンロード方法であって、上記ＷＥＢサイトからのダウンロードを所望する複数の画像の選択指示をユーザから受け付ける指示受付工程と、上記選択指示により選択された複数の画像を上記ＷＥＢサイトから一括ダウンロードするダウンロード工程と、を含んでいることを特徴としている。
【００１２】
上記の構成によれば、本発明に係るダウンロード方法は、本発明に係る携帯電話と同様の作用効果を奏する。
【００１３】
上記画像が、装飾メールの作成に使用する絵文字画像である、ことが望ましい。
【００１４】
本発明に係る携帯電話は、上記選択指示により選択された複数の画像の各々について当該画像に固有の固有情報を選択画像情報の一部として保持するよう、上記ＷＥＢサイトに対して要求する要求手段をさらに備え、上記ダウンロード手段は、ユーザによるダウンロードの指示をトリガとして、上記ＷＥＢサイトが保持する選択画像情報の一部として上記固有情報が記録されている全画像を上記ＷＥＢサイトから一括ダウンロードするように構成されている、ことが望ましい。
【００１５】
上記の構成によれば、上記ＷＥＢサイトは、ユーザがダウンロードを所望して選択した全画像を特定可能な選択画像情報を保持し、ダウンロードの指示が行われたタイミングで、選択画像情報で特定される全画像を携帯電話に送信する。したがって、本発明に係る携帯電話は、ダウンロードを所望する画像の選択指示と実際の画像のダウンロードとをそれぞれユーザに所望のタイミングで行わせることができるというさらなる効果を奏する。なお、上記携帯電話がアクセス可能な記憶部には、上記ＷＥＢサイトの表示中に上記携帯電話のＣＰＵを上記指示受付手段として機能させるブラウザアプリケーションと上記ＣＰＵを上記ダウンロード手段として機能させるアプリケーションとが個別に記録されている、ことが望ましい。
【００１６】
なお、本発明の範疇には、本発明に係る携帯電話として携帯電話（例えば、公知の携帯電話）を動作させるためのプログラムであって、当該携帯電話のＣＰＵを上記ダウンロード手段として機能させるための、携帯電話用のプログラムも含まれる。また、本発明の範疇には、そのようなプログラムが記録されている、携帯電話が読み取り可能な記録媒体も含まれる。
【発明の効果】
【００１７】
以上のように、本発明に係る携帯電話およびダウンロード方法は、ユーザがダウンロードを所望する画像データ群をサイトから一括してダウンロードすることができるという効果を奏する。
【図面の簡単な説明】
【００１８】
【図１】図１は、本発明の一実施形態に係る携帯電話を含むシステムのシステム構成図である。
【図２】図２は、図１の携帯電話に表示されるユーザインタフェース画面（ＵＩ画面）を例示した図である。
【図３】図３は、図１の携帯電話に表示されるダイアログを例示した図である。
【図４】図４は、図１の携帯電話に表示されるＵＩ画面を例示した図である。
【図５】図５は、図１の携帯電話に表示されるＵＩ画面を例示した図である。
【図６】図６は、図１の携帯電話に表示されるＵＩ画面を例示した図である。
【図７】図７は、図１の携帯電話に表示されるＵＩ画面を例示した図である。
【図８】図８は、図１の携帯電話に表示されるＵＩ画面を例示した図である。
【図９】図９は、図１の携帯電話に表示されるダイアログを例示した図である。
【図１０】図１０は、図１の携帯電話に表示されるＵＩ画面を例示した図である。
【図１１】図１１は、図１の携帯電話に表示されるＵＩ画面を例示した図である。
【図１２】図１２は、図１の携帯電話に表示されるダイアログを例示した図である。
【図１３】図１３は、図１の携帯電話に表示されるＵＩ画面を例示した図である。
【発明を実施するための形態】
【００１９】
〔実施形態１〕
本発明の一実施形態に係る携帯電話について図面を参照しながら説明すれば以下の通りである。
【００２０】
本実施形態に係る携帯電話はインターネットに接続する機能を備えている。また、本実施形態に係る携帯電話には、ＷＥＢブラウザ等の各種アプリケーションがインストールされている。各種アプリケーションの中には、所定の複数の画像ダウンロードサイトの各サイトから様々な画像を一括ダウンロードするためのダウンロードアプリケーションも含まれている。
【００２１】
以下では、上記複数の画像ダウンロードサイトが「サイトＡ」「サイトＢ」「サイトＣ」の３つのサイトであるものとして説明するが、上記複数の画像ダウンロードサイトの具体的なサイト数は特に限定されない。また、本実施形態に係る携帯電話は、例えばスマートフォンであってもよい。また、以下では、上記様々な画像が装飾メール用の画像であるものとして説明するが、上記様々な画像は、待ち受け用画像や発着信画像といった携帯電話においてその他の用途で使用される画像であってもよい。
【００２２】
以下、本実施形態に係る携帯電話の要部構成について図１を参照しながら説明する。図１は、本実施形態に係る携帯電話と、上記複数の画像ダウンロードサイトと、を含むシステムのシステム構成図である。
【００２３】
図１に示すように、携帯電話１００は、制御部１０、記憶部２０、タッチパネル式表示部３０および通信部４０を備えている。
【００２４】
（制御部１０）
制御部１０は、主にＣＰＵによって実現され、アプリケーションの実行処理の内容に応じて携帯電話１００の各部を制御する。ＣＰＵは、ユーザからタッチパネル式表示部３０を介してアプリケーションの起動指示を受け付けると、そのアプリケーションを記憶部２０から読み出して実行する。例えば、ＣＰＵは、ユーザからの指示によってアクティブにされたアプリケーションのユーザインタフェース画面（ＵＩ画面）をタッチパネル式表示部３０に表示する。
【００２５】
制御部１０は、ＣＰＵが記憶部２０からＷＥＢブラウザおよびダウンロードアプリケーションを読み出すことによって、ＷＥＢブラウザ部１１（指示受付手段、要求手段）およびダウンロードアプリ部１２（ダウンロード手段）を備える。
【００２６】
（ＷＥＢブラウザ部１１）
ＷＥＢブラウザ部１１は、様々なＷＥＢサイトに接続してＷＥＢページを表示するアプリケーションである。
【００２７】
（ダウンロードアプリ部１２）
ダウンロードアプリ部１２は、ＷＥＢブラウザ部１１がＷＥＢサイト（サイトＡ、サイトＢまたはサイトＣ）のＷＥＢページを表示部３０に表示中にユーザがダウンロード登録（ＤＬ登録）した様々な画像を当該ＷＥＢサイトから一括してダウンロード可能なアプリケーションである。
【００２８】
（記憶部２０）
記憶部２０は、ＷＥＢブラウザやダウンロードアプリケーション等の各種アプリケーションおよび各種アプリケーションが取り扱うデータ（例えば、ダウンロードアプリケーションがダウンロードする画像）が記録される不揮発性メモリである。なお、記憶部２０は、ハードディスクドライブ、ソリッドステートドライブといった他の種類の記憶媒体であってもよい。
【００２９】
（タッチパネル式表示部３０）
タッチパネル式表示部３０（以下では、単に「表示部３０」と記載する）は、タッチパネルを備えたディスプレイである。タッチパネルは、ユーザからの操作指示を受け付ける操作部として機能を果たす。タッチパネルは感圧式タッチパネルであっても静電式タッチパネルであってもその他のタッチパネルであってもよい。また、ディスプレイは液晶ディスプレイであっても有機ＥＬディスプレイであってもその他のディスプレイであってもよい。
【００３０】
（通信部４０）
通信部４０は、インターネットに接続するための通信インターフェースである。通信インターフェースの代表例としては、ＷｉＦｉモジュールおよび３Ｇ通信モジュールが挙げられる。
【００３１】
以上、携帯電話１００の要部構成について説明した。
【００３２】
以下では、サイトＡにアクセス中の携帯電話１００の動作について図２〜図５を参照して説明する。
【００３３】
図２（ａ）は、サイトＡへのログイン後にＷＥＢブラウザ部１１が表示部３０に表示するパーツ一覧画面を示している。ユーザが表示部３０における画像（例えば、絵文字セットサムネイル、ちびデコ）をタップすると、ＷＥＢブラウザ部１１は、パーツプレビュー画面を表示部３０に表示する。
【００３４】
例えば、絵文字セットサムネイルがタップされた場合、ＷＥＢブラウザ部１１は、図２（ｂ）に示すようなプレビュー画面を表示する。図２（ｂ）のプレビュー画面には、絵文字セットサムネイル内に含まれている各絵文字画像が所定のサイズ（すなわち、ダウンロード時に実際にダウンロードされる画像のサイズ）で表示される。同様に、「ちびデコ」がタップされた場合、ＷＥＢブラウザ部１１は、図２（ｃ）に示すようなプレビュー画面を表示する。図２（ｃ）のプレビュー画面には、「ちびデコ」の画像が所定のサイズで表示される。なお、所定のサイズは、ダウンロード後に実際に携帯電話１００で表示されるサイズであることが望ましい。そのように所定のサイズを設定すれば、携帯電話１００で実際に使用する際の表示サイズをダウンロード前に予め目視できるからである。
【００３５】
また、図２（ｂ）および図２（ｃ）に示すように、プレビュー画面の下端には「ＤＬ登録」ボタンおよび「ＤＬリストを見る」ボタンが表示される。
【００３６】
「ＤＬ登録」ボタンがタップされると、ＷＥＢブラウザ部１１は、パーツ選択画面でタップされた画像に対応するＮ（Ｎ≧１）個の画像（図２（ｂ）の例では１０個の絵文字画像）をユーザのＤＬリストに登録する旨の登録指示をサイトＡのＷＥＢサーバ２００−１に送信する。ここで、ＤＬリストは、ダウンロードアプリケーションによってダウンロードされる各画像が登録されている（具体的には、各画像に固有の固有情報（画像ファイルの所在を示すＵＲＬ、画像ファイルのファイル名等）が記録されている）リスト（選択画像情報）であり、ＷＥＢサーバ２００−１の記憶部（図示せず）に記録されている。
【００３７】
ＷＥＢサーバ２００−１は、登録指示を受け付けると、ＤＬリストに登録されている画像の総数Ｓを計算する。
【００３８】
Ｓ＋Ｎ≦１００が真になる場合、ＷＥＢサーバ２００−１は、登録指示を受けたＮ個の画像をＤＬリストに登録する。そして、ＷＥＢサーバ２００−１は、ＤＬリストへの登録に成功した旨および登録後の登録件数Ｓ＋Ｎを携帯電話１００に送信する。そして、携帯電話１００は、図３（ａ）に示すような、画像がＤＬリストに登録された旨と現在の登録件数Ｓ＋Ｎとを示したダイアログを表示部３０に表示する。
【００３９】
一方で、Ｓ＋Ｎ≦１００が偽になる場合（例えば、Ｓ＝９０且つＮ＝２０である場合）、ＷＥＢサーバ２００−１は、登録件数が１００件を超えてしまうためにＤＬリストへの登録に失敗した旨および現在の登録件数Ｓを携帯電話１００に送信する。そして、携帯電話１００は、図３（ｂ）に示すような、登録件数が１００件を超えてしまうためにＤＬリストへの登録が失敗した旨と現在の登録件数Ｓとを示したダイアログを表示部３０に表示する。
【００４０】
以上、「ＤＬ登録」ボタンがタップされた場合の動作について説明したが、次に、「ＤＬリストを見る」ボタンがタップされた場合の動作について説明する。
【００４１】
「ＤＬリストを見る」ボタンがタップされると、ＷＥＢブラウザ部１１は、は、携帯電話１００にダウンロードアプリケーションがインストールされているか否かを判定する。ダウンロードアプリケーションがインストールされていると判定された場合、ＷＥＢブラウザ部１１は、ダウンロードアプリケーションが起動していないときには起動した上で、ダウンロードアプリケーションをアクティブにする。
【００４２】
一方、ダウンロードアプリケーションがインストールされていないと判定された場合、ＷＥＢブラウザ部１１は、図４（ａ）に示すようなＵＩ画面を表示部３０に表示する。
【００４３】
「ダウンロード」ボタンがタップされると、ＷＥＢブラウザ部１１は、ダウンロードアプリケーションを所定のサイトからダウンロードする。一方、「起動」ボタンがタップされると、ＷＥＢブラウザ部１１は、携帯電話１００にダウンロードアプリケーションがインストールされているか否かを判定する。
【００４４】
ダウンロードアプリケーションがインストールされていると判定された場合、ＷＥＢブラウザ部１１は、ダウンロードアプリケーションが起動していないときには起動した上で、ダウンロードアプリケーションをアクティブにする。そして、ダウンロードアプリ部１２は、図４（ｂ）に示すＵＩ画面を表示部に表示する。一方、ダウンロードアプリケーションがインストールされていないと判定された場合、ＷＥＢブラウザ部１１は、特に何もせずに、ユーザの次の指示があるまで待機する。
【００４５】
なお、サイトＡへのログイン後にＷＥＢブラウザ部１１が図２（ａ）のパーツ一覧画面ではなく図５のパーツ一覧画面を表示部３０に表示するように、サイトＡが構築されていてもよい。図５を見るとわかるように、図５のパーツ一覧画面の下端には「ＤＬ登録」ボタンおよび「ＤＬリストを見る」ボタンが表示される。
【００４６】
図５に示したように、パーツ一覧画面の表示中にユーザが画像をタップすると、ＷＥＢブラウザ部１１は、タップされた画像（図５の例では「ちびデコ」の画像）を強調表示する。
【００４７】
「ＤＬ登録」ボタンがタップされた場合の動作、および、「ＤＬリストを見る」ボタンがタップされた場合の動作は、それぞれ、プレビュー画面の表示中における対応する動作と同じであるので、その説明はここでは省略する。
【００４８】
以上、サイトＡにアクセス中の携帯電話１００の動作について説明したが、サイトＢおよびサイトＣにアクセス中の携帯電話１００も同様の動作を行う。
【００４９】
以上のように、ユーザが、携帯電話１００を用いてサイトＡ〜サイトＣの少なくともいずれかのサイトにアクセスし、さらに、そのサイトにおいてダウンロードを所望する各画像を選択すると、そのサイトのＤＬリストには選択された各画像が登録されることになる。
【００５０】
（携帯電話１００の動作）
次に、ダウンロードアプリ部１２がアクティブになっているときの携帯電話１００の動作について図６〜図１３を参照しながら以下に説明する。
【００５１】
（ダウンロードサイトの認証に関連する動作）
最初にダウンロードサイトの認証に関連する動作について説明する。
【００５２】
図６は、ダウンロードアプリ部１２が起動後に表示部３０に最初に表示するＵＩ画面を例示している。最初に表示されるＵＩ画面は、サイトＡで携帯電話１００のユーザ（以下では、「対象ユーザ」とも称する）の認証が行われたことがあるか否かで異なっている。サイトＡで対象ユーザの認証が行われたことがない場合、ダウンロードアプリ部１２は、起動後に、図６に示すキャリア選択画面を表示部３０に表示する。
【００５３】
一方、サイトＡで対象ユーザの認証が行われたことがある場合には、ダウンロードアプリ部１２は、サイトＡの後述するＤＬリスト閲覧画面を表示部３０に表示する。
【００５４】
キャリア選択画面またはＤＬリスト閲覧画面の表示中に対象ユーザが「サイトＡ」ボタン、「サイトＢ」ボタンまたは「サイトＣ」ボタンをタップすることでサイトを選択すると、ダウンロードアプリ部１２は、選択されたサイト（以下、「対象サイト」とも称する）で対象ユーザの認証が行われたことがあるか否かを判定する。対象サイトで対象ユーザの認証が行われたことがない場合、ダウンロードアプリ部１２はキャリア選択画面を表示部３０に表示する。一方、対象サイトで対象ユーザの認証が行われたことがある場合、ダウンロードアプリ部１２は、対象サイトの後述するＤＬリスト閲覧画面を表示部３０に表示する。
【００５５】
キャリア選択画面の表示中に対象ユーザが契約している携帯会社（Ｄ社、Ｋ社等）のボタンをタップすると、ダウンロードアプリ部１２は、その携帯会社のOpenID認証用のサイトを表示する。
【００５６】
OpenID認証により対象ユーザが認証され、認証された対象ユーザが対象サイトの会員であることが確認されると、ダウンロードアプリ部１２は、図８（ａ）に例示される、対象サイトのＤＬリスト閲覧画面を表示部３０に表示する。ダウンロードアプリ部１２は、具体的には、カテゴリ（「えもじ」「ちびデコ・メッセ」・・）毎に、カテゴリ名と対象ユーザのＤＬリストに登録されている対象カテゴリの画像の個数とが示されたカテゴリ見出し（５−１〜５〜５）を表示し、さらに、ＤＬリストに登録されている画像の総数を上から１番目のカテゴリ見出し（５−１）のすぐ上に表示する。
【００５７】
一方、OpenID認証により対象ユーザが認証されたが、認証された対象ユーザが対象サイトの会員であることが確認できない場合、ダウンロードアプリ部１２は、図７に示すように、対象サイトへの入会を促すためのサイト入会誘導画面を表示部３０に表示する。
【００５８】
さらに、対象ユーザが「会員登録」ボタンをタップすると、ダウンロードアプリ部１２は、ＷＥＢブラウザ部１１を呼び出して、自身は非アクティブになる。そして、呼び出されたＷＥＢブラウザ部１１は、対象サイトの会員登録画面を表示部３０に表示する。
【００５９】
（ＤＬリスト閲覧画面を表示中の動作）
次に、ＤＬリスト閲覧画面を表示中の動作について説明する。
【００６０】
図８（ａ）のＤＬリスト閲覧画面の表示中に対象ユーザがいずれかのカテゴリ見出しをタップすると、図８（ｂ）のＤＬリスト閲覧画面に示されるように、ダウンロードアプリ部１２は、ＤＬリストに登録されている画像群のうちの、タップされたカテゴリ見出しに対応するカテゴリの画像群（図８（ｂ）の例では「えもじ」カテゴリの絵文字画像群）を表示部３０に展開表示する。また、画像群が展開表示されているカテゴリのカテゴリ見出しをユーザがタップすると、ダウンロードアプリ部１２は、そのカテゴリの画像群の表示を折りたたむ。なお、カテゴリ見出しの右端の左向き矢印はそのカテゴリの表示が折りたたみ状態であることを示しており、下向き矢印はそのカテゴリの表示が展開状態であることを示している。
【００６１】
タップされたカテゴリ見出しに対応するカテゴリの画像が１つも対象ユーザのＤＬリストに登録されていない場合には、ダウンロードアプリ部１２は、図１３のＤＬリスト閲覧画面に示されるように、「登録素材はないよ。サイトで登録してね」というメッセージを表示部３０に表示する。
【００６２】
（ダウンロード動作）
ＤＬリスト閲覧画面の表示中に対象ユーザが「全部保存」ボタンをタップすると、ダウンロードアプリ部１２は、対象サイトのＷＥＢサーバから、対象ユーザのＤＬリストに登録されている画像群をダウンロードし、記憶部２０に記録する。さらに、ダウンロードアプリ部１２は、ダウンロード完了後に、図９（ａ）に示すダイアログを表示部３０に表示する。なお、対象サイトのＤＬリストに画像が１つも登録されていない場合、ダウンロードアプリ部１２は、図９（ｂ）に示すダイアログを表示部３０に表示する。
【００６３】
なお、携帯電話１００によるダウンロードの完了後、対象サイトのＷＥＢサーバは、自身の記憶部に記録されている対象ユーザのＤＬリストを空にする。また、ダウンロードアプリ部１２は、ダウンロードの完了後、図１０に示すＤＬリスト閲覧画面を表示部３０に表示する。
【００６４】
（ＤＬリストから一部の画像の登録を削除する動作）
ユーザは、ＤＬリスト閲覧画面の表示中に各カテゴリの画像をタップすることで各画像を選択できるようになっている。図１１（ａ）は、「えもじ」カテゴリの３つの絵文字画像が選択された状態のＤＬリスト閲覧画面を示している。
【００６５】
いずれかの画像が選択されている状態で対象ユーザが「選択削除」ボタンをタップすると、ダウンロードアプリ部１２は、図１２（ａ）に示す確認ダイアログを表示部３０に表示する。「はい」がタップされた場合、ダウンロードアプリ部１２は、選択された各画像の登録をＤＬリストから削除するように対象サイトのＷＥＢサーバに対して要求する。
【００６６】
要求を受け付けた対象サイトのＷＥＢサーバは、自身の記憶部に記録されている対象ユーザのＤＬリストから、上記選択された各画像の登録を削除する。また、ダウンロードアプリ部１２は、図１２（ｂ）に示すようなダイアログを表示部３０に表示する。その後、ダウンロードアプリ部１２は、図１１（ｂ）に示すように、選択された画像を表示部３０に表示中のＤＬリスト閲覧画面から消去し、対象ユーザのＤＬリストに登録されている画像の総数表示およびカテゴリ毎の画像の個数表示を更新する。
【００６７】
画像が選択されていない状態で対象ユーザが「選択削除」ボタンをタップすると、ダウンロードアプリ部１２は、図１２（ｃ）に示すダイアログを表示部３０に表示する。
【００６８】
（携帯電話１００の利点）
以上のように、携帯電話１００は、ＷＥＢサイト（例えば、サイトＡ）からユーザが所望する画像をダウンロード可能である。携帯電話１００のＷＥＢブラウザ部１１は、サイトからのダウンロードを所望する複数の画像の選択指示（具体的には、ＤＬリストに登録する画像の選択指示、および、選択された画像をＤＬリストに登録する旨の指示）をユーザから受け付ける。そして、携帯電話１００のダウンロードアプリ部１２は、選択指示により選択された複数の画像（例えば、サイトＡのＤＬリストに登録されている複数の画像）を一括してダウンロードする。
【００６９】
したがって、携帯電話１００は、ユーザがダウンロードを所望する画像群をＷＥＢサイトから一括してダウンロードすることができるという効果を奏する。
【００７０】
（付記事項１）
サイトＡは「えもじ」「メッセ」「ちびデコ」「メイン」「待ち画」「ライン」「テンプレ」の各カテゴリの画像および「えもじセット」カテゴリの画像群を提供している。また、サイトＢは、「えもじ」「メッセ」「ちびデコ」「ライン」「テンプレ」の各カテゴリの画像および「えもじセット」カテゴリの画像群を提供している。さらに、サイトＣは「えもじ」「メッセ」「イラスト」「ライン」「テンプレ」の各カテゴリの画像および「えもじセット」カテゴリの画像群を提供している。
【００７１】
「えもじ」カテゴリの画像は、装飾メール用の一般的な絵文字画像であり、装飾メール中の本文の一部として使用される。「えもじセット」カテゴリの画像群は、複数（１０個前後）の絵文字画像からなる絵文字画像群である。
【００７２】
「メッセ」カテゴリの画像は、文字が含まれている大きい装飾画像である。
【００７３】
「ちびデコ」カテゴリの画像は、文字が含まれている画像であって、装飾メール中の本文の一部として使用可能な画像である。
【００７４】
「待ち画」カテゴリの画像は、待ち受け画像用に作成された画像である。
【００７５】
「ライン」カテゴリの画像は、装飾メールの本文の冒頭、末尾、または途中に挿入して使用する横長の装飾画像である。
【００７６】
「テンプレ」カテゴリの画像は、上端および下端の領域が装飾され、２つの領域に挟まれた中央の領域が本文記載用に装飾されていない背景画像である。
【００７７】
「メイン」カテゴリおよび「イラスト」カテゴリの画像は、主にイラストで構成されている装飾メール用の正方形の装飾画像である。
【００７８】
（付記事項２）
各サイトのＷＥＢサーバは、対象ユーザが当該サイトの所定のＷＥＢページにアクセスした場合に、対象ユーザが会員登録していない他のサイトで提供している画像のサンプルサムネイルを携帯電話１００に表示させてもよい。また、各サイトのＷＥＢサーバは、携帯電話に、所定のリンクをサンプルサムネイルの傍に表示させてもよい。このリンクは、他のサイトの会員登録ページに携帯電話１００をアクセスさせるためのリンクである。
【００７９】
また、各サイトのＷＥＢサーバは、対象ユーザの画像のダウンロード履歴をログに残しておき、ダウンロード履歴を解析することにより対象ユーザの好みを推定してもよい。そして、各サイトのＷＥＢサーバは、対象ユーザが当該サイトの所定のＷＥＢページにアクセスした場合、推定した対象ユーザの好みに合う画像のサムネイルを上記サンプルサムネイルとして携帯電話１００に表示させてもよい。
【００８０】
例えば、サイトＡのＷＥＢサーバは、対象ユーザが「えもじ」カテゴリの絵文字画像ばかりをダウンロードしており、サイトＢおよびサイトＣに会員登録していない場合には、サイトＢまたはサイトＣの「えもじ」カテゴリの絵文字画像のサムネイルを上記サンプルサムネイルとして携帯電話１００に表示させてもよい。
【００８１】
これにより、各サイトのＷＥＢサーバは、対象ユーザが会員登録していない他のサイトのお奨め画像を対象ユーザに提示でき、さらに、対象ユーザを他のサイトの会員になる気にさせることができる。
【００８２】
（付記事項３）
上記実施形態では、ＷＥＢサイト側でＤＬリストを保持するものとしたが、本発明はこれに限定されず、携帯電話１００の記憶部２０にＤＬリスト（例えば、ユーザがダウンロードを所望する各画像のＵＲＬ）をサイト毎に保持してもよい。すなわち、対象サイトの表示中に「ＤＬ登録」ボタンがタップされると、ＷＥＢブラウザ部１１は、パーツ選択画面でタップされた画像に対応するＮ（Ｎ≧１）個の画像を記憶部２０に記録されている対象サイトのＤＬリストに登録してもよい。
【００８３】
そして、対象サイトのＤＬリスト閲覧画面の表示中にユーザが「全部保存」ボタンをタップすると、ダウンロードアプリ部１２は、記憶部２０に記録されている対象サイトのＤＬリストを参照し、対象サイトのＷＥＢサーバからＤＬリストに登録されている画像群をダウンロードしてもよい。
【００８４】
（付記事項４）
上記実施形態では、対象ユーザがサイトＡに会員登録している場合、ダウンロードアプリ部１２は、起動後に最初にサイトＡのＤＬリスト閲覧画面を表示するものとしたが、本発明はこれに限定されない。ダウンロードアプリ部１２は、対象ユーザがサイトＡに会員登録している場合、サイトＡのＤＬリストが空であるか否かを確認し、ＤＬリストが空であるときには、対象ユーザが会員登録している他のサイト（例えばサイトＢ）について同様にＤＬリストが空であるか否かを確認してもよい。そして、ダウンロードアプリ部１２は、上記他のサイトのＤＬリストが空でないことを確認した場合、上記他のサイト（上記の例でサイトＢ）のＤＬリスト閲覧画面を表示してもよい。
【００８５】
なお、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００８６】
本発明は、スマートフォン等の携帯電話に好適に利用することができる。
【符号の説明】
【００８７】
１００          携帯電話
１０            制御部
１１              ＷＥＢブラウザ部（指示受付手段、要求手段、ブラウザアプリケ
ーション）
１２              ダウンロードアプリ部（ダウンロード手段、アプリケーション、
プログラム）
２０            記憶部（記録媒体）
３０            タッチパネル式表示部
４０            通信部
２００−１      サイトＡのＷＥＢサーバ
２００−２      サイトＢのＷＥＢサーバ
２００−３      サイトＣのＷＥＢサーバ
【図１】
0005861403.tif 000002
【図２】
0005861403.tif 000003
【図３】
0005861403.tif 000004
【図４】
0005861403.tif 000005
【図５】
0005861403.tif 000006
【図６】
0005861403.tif 000007
【図７】
0005861403.tif 000008
【図８】
0005861403.tif 000009
【図９】
0005861403.tif 000010
【図１０】
0005861403.tif 000011
【図１１】
0005861403.tif 000012
【図１２】
0005861403.tif 000013
【図１３】
0005861403.tif 000014